(57)【要約】      （修正有）【課題】踏切閉鎖状態での人による踏切への侵入を忌避させると共に踏切作動中に車両が通過しても破壊されることがなく機能停止や復旧を不要とする踏切装置を提供する。【解決手段】列車が通行する線路１６を横断する踏切道１４に設けられた踏切装置は、踏切出入口に水ビーム放水装置１０が配置され、列車の接近を検知すると、踏切出入口を遮るように水ビーム１２を放水する。水ビーム放水装置１０は、踏切出入口の路面横方向に複数のノズルが所定間隔で配置され、複数のノズルからアーチ状に連設される複数の水ビーム１２を放水させる。【選択図】図１
2019093939.tif 000002
【特許請求の範囲】
【請求項１】
列車が通行する線路を横断する踏切道に設けられた踏切装置に於いて、
踏切出入口に、当該踏切出入口を遮るように水ビームを放水する水ビーム放水装置が設けられたことを特徴とする踏切装置。
【請求項２】
請求項１記載の踏切装置に於いて、前記水ビーム装置は、前記踏切出入口の路面横方向に複数のノズルが所定間隔で配置され、前記複数のノズルから円弧状に連設される複数の水ビームを放水させることを特徴とする踏切装置。
【請求項３】
請求項１記載の踏切装置に於いて、前記水ビーム装置は、前記踏切出入口の片側又は両側に配置されたノズルから前記踏切出入口を横切る方向に１又は複数の水ビームを放水させることを特徴とする踏切装置。
【請求項４】
請求項１記載の踏切装置に於いて、前記水ビーム装置は、前記踏切出入口の両側に配置されたノズルから前記踏切出入口を横切って交差するように複数の水ビームを放水させることを特徴とする踏切装置。
【請求項５】
（水ビームの偏向放水）
請求項１記載の踏切装置に於いて、前記水ビーム装置は、平面から見て踏切内側に向かう斜め方向に前記ノズルから水ビームを放水させることを特徴とする踏切装置。
【請求項６】
請求項１記載の踏切装置に於いて、前記水ビーム装置の前記ノズルから放水された水ビームが到達する所定の位置に、前記水ビームを受け入れて排水させる集水装置が設けられたことを特徴とする踏切装置。
【請求項７】
請求項１記載の踏切装置に於いて、前記水ビーム装置の前記ノズルから放水された水ビームの路面投影位置に排水溝が設けられたことを特徴とする踏切装置。
【請求項８】
請求項１記載の踏切装置に於いて、前記水ビーム装置の前記ノズルから放水された水ビームを照明する照明装置が設けられたことを特徴とする踏切装置。
【請求項９】
請求項１乃至８の何れかに記載の踏切装置に於いて、更に、
前記水ビーム装置に加圧水を供給する加圧給水装置と、
前記加圧給水装置と前記ノズルの間に設けられて開閉制御される制御弁と、
所定の列車検知信号に基づいて前記制御弁を開閉制御して前記ノズルによる前記水ビームの放水を制御する踏切制御装置と、
が設けられたことを特徴とする踏切装置。
【発明の詳細な説明】
【技術分野】
【０００１】
本発明は、列車が通行する線路を横断する踏切道に設けられた踏切装置に関する。
【背景技術】
【０００２】
一般的に、線路を横切る踏切道には踏切装置が設けられており、列車の安全な運行を行うために、列車が踏切に近づくと、遮断機のバーが降下して踏切出入口を遮断し、踏切警報機が動作して、ライトやスピーカによって視覚や聴覚により車両の運転手や歩行者に列車の接近を通知している。
【０００３】
ところで、列車の踏切は交通が錯綜することから事故が起こり易く、渋滞の原因ともなる。特に、列車本数や線路数の多い踏切では、時間帯によっては、閉まっている時間が長くなる所謂開かずの踏切等もある。
【０００４】
このため遮断機が降りているにも関わらず、遮断機を潜って人が踏切に進入し、これを検知することで、現場確認が済むまで列車運行を停止させる事態が多発している。
【０００５】
また、踏切を通過しようとする車両が、警報器が鳴り始めているにも関わらず、無理に踏切に進入したため、遮断機が下りて踏切に閉じ込められ、列車から逃れるために遮断機のバーを突き破って脱出するような事故も数多く発生している。
【０００６】
このような問題を解決するために様々な取り組みが行われており、例えば、踏切の状態を道路上の車両に通知して踏切の存在とその状態を予告したり、車両の速度超過を検出し、遮断機の降下中に踏切への車両の進入を防止する装置等も提案されている。
【先行技術文献】
【特許文献】
【０００７】
【特許文献１】特開平０８−０５８５９３号公報
【特許文献２】特開２００５−１７０２５９号公報
【特許文献３】特開２０１６−１４１２５１号公報
【発明の概要】
【発明が解決しようとする課題】
【０００８】
しかしながら、このような従来の踏切は、遮断機のバーを降ろして車両や歩行者の通行を遮断する構造であり、歩行者であれば遮断機のバーをくぐって簡単に踏切に進入することが可能であり、踏切に進入した人を検知して列車を停止させる事故が絶えない。
【０００９】
また、遮断機のバーが車両の通過より壊された場合には、踏切の機能が失われると共に、復旧に手間と時間かかかり、列車の運行停止や運航遅れを引き起こす問題がある。
【００１０】
本発明は、踏切閉鎖状態での人による踏切への侵入を忌避させると共に踏切作動中に車両が通過しても破壊されることなく機能停止や復旧を必要としない踏切装置を提供することを目的とする。
【課題を解決するための手段】
【００１１】
（踏切装置）
本発明は、列車が通行する線路を横断する踏切道に設けられた踏切装置に於いて、
踏切出入口に、当該踏切出入口を遮るように水ビームを放水する水ビーム放水装置が設けられたことを特徴とする。ここで、水ビームとは、ノズルから放水される棒状の放水パターンであり、放水距離が増加しても可能な限り棒状の状態を維持することが望ましい。
【００１２】
（水ビームの横並び放水）
水ビーム放水装置は、踏切出入口の路面横方向に複数のノズルが所定間隔で配置され、複数のノズルからアーチ状に連設される複数の水ビームを放水させる。
【００１３】
（水ビームの横放水）
水ビーム放水装置は、踏切出入口の片側又は両側に配置されたノズルから踏切出入口を横切る方向に１又は複数の水ビームを放水させる。
【００１４】
（水ビームのクロス放水）
水ビーム放水装置は、踏切出入口の両側に配置されたノズルから踏切出入口を横切って交差するように複数の水ビームを放水させる。
【００１５】
（水ビームの偏向放水）
水ビーム放水装置は、平面から見て踏切内側に向かう斜め方向にノズルから水ビームを放水させる。
【００１６】
（水ビームの集水装置）
水ビーム放水装置のノズルから放水された水ビームが到達する所定の位置に、水ビームを受け入れて排水させる集水装置が設けられる。
【００１７】
（水ビームの排水溝）
水ビーム放水装置のノズルから放水された水ビームの路面投影位置に排水溝が設けられる。
【００１８】
（照明装置）
水ビーム放水装置のノズルから放水された水ビームを照明する照明装置が設けられる。
【００１９】
（踏切装置の設備構成）
踏切装置は、更に、
水ビーム放水装置に加圧水を供給する加圧給水装置と、
加圧給水装置とノズルの間に設けられて開閉制御される制御弁と、
所定の列車検知信号に基づいて制御弁を開閉制御してノズルによる水ビームの放水を制御する踏切制御装置と、
が設けられる。
【発明の効果】
【００２０】
（基本的な効果）
本発明は、列車が通行する線路を横断する踏切道に設けられた踏切装置に於いて、踏切出入口に、当該踏切出入口を遮るように水ビームを放水する水ビーム放水装置が設けられたため、列車が接近すると、水ビーム放水装置により踏切出入口を遮るように水ビームが放水され、歩行者が踏切に進入しようとすると水ビームがかかって濡れることの忌避感から踏切への進入を思い止まらせることができ、踏切作動中への人の進入を確実に防止可能とする。
【００２１】
また、水ビームの放水による踏切遮断中に、車両が違法に通過しても、単に水ビームを横切るに過ぎないことから、踏切設備や機器の損傷は起きず、従来の遮断機バーの破損による問題は発生しない。
【００２２】
（水ビームの横並び放水による効果）
また、水ビーム放水装置は、踏切出入口の路面横方向に複数のノズルが所定間隔で配置され、複数のノズルからアーチ状に連設される複数の水ビームを放水させるようにしたため、踏切で入り口を横切る方向にアーチ状の水ビームが複数繋がって形成されることで、踏切が遮断状態にあることが確実に認識され、また、水ビームの放水でアーチ形状を形成するには、水道水程度の低圧放水で良いことから、設備構成が簡単で放水量も必要最小限に抑えることができ、更に、踏切で入り口の道路幅が変わっても、横に配置するノズルの数を変えて水ビームにより形成されるアーチの数を変えることで、踏切出入口の道路幅に対し簡単に対応できる。また、水ビームが下からアーチ高さまで存在するため、視線が低い子供でも気づくことができることに加え、下からくぐることが困難となる。
【００２３】
（水ビームの横放水による効果）
また、水ビーム放水装置は、踏切出入口の片側又は両側に配置されたノズルから踏切出入口を横切る方向に１又は複数の水ビームを放水させるようにしたため、水ビームの放水に使用するノズル数が少なくて済み、設備構成が簡単になることから、踏切で入り口の道路幅が比較的狭い踏切に好適である。
【００２４】
（水ビームのクロス放水による効果）
また、水ビーム放水装置は、踏切出入口の両側に配置されたノズルから踏切出入口を横切って交差するように複数の水ビームを放水させるようにしたため、両側のノズルから放水された水ビームが中央付近で交差するため、水ビームの本数が少なくても、水ビームによる踏切の遮断状態を確実に形成して認識させることができる。
【００２５】
（水ビームの偏向放水による効果）
また、水ビーム放水装置は、平面から見て踏切内側に向かう斜め方向にノズルから水ビームを放水させるようにしたため、水ビームの放水による踏切の遮断中に列車が通過すると、列車の通過に伴い水ビームが風を受けるが、予め踏切内側に向けて水ビームを放水することで、列車通過による風を受けても水ビームの外側への偏向を抑制し、踏切出入口の横方向への水ビームの放水状態を維持可能とする。
【００２６】
（水ビームの集水装置による効果）
また、水ビーム放水装置のノズルから放水された水ビームが到達する所定の位置に、水ビームを受け入れて排水させる集水装置が設けられたため、ノズルから放水された水ビームは踏切周辺に飛散することなく、集水装置で受け止められて排水されるか再利用される。
【００２７】
（水ビームの排水溝による効果）
また、水ビーム放水装置のノズルから放水された水ビームの路面投影位置に排水溝が設けられたため、ノズルから水ビームの放水を開始する場合や水ビームの放水を停止する場合、水ビームの届く位置は踏切出入口の横方向に移動することから、このように水ビームの届く位置が移動しても、そこには排水溝が形成されていることで、周囲に飛散することなく、排水溝で受け止められて排水されるか、再利用される。
【００２８】
（照明装置の効果）
また、水ビーム放水装置のノズルから放水された水ビームを照明する照明装置が設けられたため、夜間等の周囲が暗い場合には、放水中の水ビームが照明されることで視認性が向上し、水ビームによる踏切の遮断状態をより確実に認識可能とする。また、美観を向上させる。
【００２９】
（踏切装置の設備構成による効果）
また、踏切装置は、更に、水ビーム放水装置に加圧水を供給する加圧給水装置と、加圧給水装置とノズルの間に設けられて開閉制御される制御弁と、所定の列車検知信号に基づいて制御弁を開閉制御してノズルによる水ビームの放水を制御する踏切制御装置とが設けられたため、簡単な装置構成により水ビームの放水により遮断する踏切装置が実現でき、設置も容易であることから、将来的な普及が期待できる。
【図面の簡単な説明】
【００３０】
【図１】踏切装置の第１実施形態を示した説明図
【図２】図１の水ビーム放水装置の構成を示した説明図
【図３】水ビームを２列に放水する水ビーム放水装置を示した説明図
【図４】踏切装置の第２実施形態を示した説明図
【図５】図４の水ビーム放水装置の構成を示した説明図
【図６】踏切装置の第３実施形態を示した説明図
【図７】図６の水ビーム放水装置の構成を示した説明図
【図８】踏切装置の第４実施形態を示した説明図
【図９】図８の水ビーム放水装置の構成を示した説明図
【発明を実施するための形態】
【００３１】
［踏切装置の第１実施形態］
（踏切装置の概要）
図１は踏切装置の第１実施形態を示した説明図である。図１に示すように、複線の線路１６を横切る方向に踏切道１４が設けられ、踏切出入口に向かって右側には踏切警報器１８が設置されている。踏切警報機１８には、Ｘ字形に配置された踏切動作反応灯、赤点滅する踏切信号機、列車通過方向を示す表示機、警報音を出力するスピーカ等が設置されている。
【００３２】
本実施形態にあっては、踏切出入口となる路面を横切る方向に形成された排水溝２２の中に水ビーム放水装置１０が設置されている。本実施形態の水ビーム放水装置１０は、列車の接近が検知された場合、図示のように、排水溝２２内に配置されている複数のノズルからアーチ状に水ビーム１２が放水され、アーチ状の水ビーム１２が横方向に連設されることで、踏切を遮断状態とする。
【００３３】
また、踏切警報機１８の支柱には照明装置３８が設けられ、必要に応じて水ビーム放水装置１０から放水されたアーチ状の水ビーム１２を照明して目立たせるようにしている。
【００３４】
（水ビーム放水装置の構成）
図２は図１の水ビーム放水装置の構成を示した説明図である。図２に示すように、踏切出入口の路面横方向には排水溝２２が形成され、排水溝２２には格子状の排水蓋２４が装着されている。排水口２２の中には、水ビーム放水装置１０で使用するノズル２０が放水方向を上向きとし横方向に所定間隔で配置されている。
【００３５】
水ビーム放水装置１０は加圧給水装置２８を備え、加圧供給装置２８から給水配管３４が引き出され、給水配管３４は制御弁３０を介して排水溝２２に配置したノズル２０に接続され、ノズル２０に加圧水を供給するようにしている。
【００３６】
加圧給水装置２８は、水源水槽、ポンプ、蓄圧タンク及び制御盤で構成され、給水配管３４に連通した蓄圧タンクに所定圧力の加圧水を常時充填している。また、加圧給水装置２８としては、第１実施形態にあっては、ノズル２０から水ビーム１２を放水させるための圧力が０．０２ＭＰａ以下と低いことから、水道水を直接供給するものであっても良い。
【００３７】
また、水ビーム放水装置１０には踏切制御装置３２が設けられ、予め設置されている列車検知用の軌道回路や列車検知器からの列車検知信号により制御弁３０を開制御してノズル２０から水ビーム１２を放水させる踏切遮断制御を行い、また、列車通過検知信号により制御弁３０を閉制御してノズル２０からの水ビーム１２の放水を停止させる踏切遮断解除制御を行う。なお、踏切制御装置３２は、列車検知信号に基づき踏切警報機１８の制御を行うが、踏切警報機１８の制御は従来と同じである。
【００３８】
踏切制御装置３２により開閉制御される制御弁３０としては、モータ駆動により弁体が開閉される電動弁を使用する。
【００３９】
ここで、ノズル２０から放水した水ビーム１２をアーチ状とするためには、ノズル２０の放水方向を垂直方向から例えば右側に微小な所定角度に傾けて配置する。また、平面から見て隣接する水ビーム１２に当たらないようにするため、水平方向にもノズル２０を微小角度にオフセットして配置する。
【００４０】
また、水ビーム１２の放水によるアーチの高さＨは、従来の踏切に設けられてる遮断機のバーの高さ程度とする必要があり、例えば、アーチの高さを１．２メートルとするためには、ノズル２０に対する加圧水の圧力を例えば０．０１２ＭＰａ程度とする。この場合、水ビーム１２の放水によるアーチの横幅Ｗは、ノズル２０の傾斜角で決まる。例えばノズル２０の設置間隔を１メートルとすると、アーチの横幅Ｗを例えばＷ＝１．２メートルとなるように傾斜角を設定する。
【００４１】
このような水ノズル１２の放水によるアーチの高さＨと幅Ｗの設定により、複数のノズル２０から水ノズル１２を放水した場合に、複数のアーチが連設された放水パターンを踏切遮断のために形成することができる。
【００４２】
また、踏切制御装置３２は、列車接近信号を受けた場合、制御弁３０の開度を例えば２段階に分けて開制御することで、ノズル２０から放水する水ビーム１２の高さと幅を最初は小さくして踏切の遮断開始を予告し、所定の予告時間が経過したら制御弁３０を全開として図示の踏切遮断とする水ビーム１２の高さと幅にする制御を行う。このような水ビーム１２の予告放水により、踏切を通過中の歩行者や車両は、水ビーム１２が出始めたことで、踏切装置の遮断開始を認識し、踏切から速やかに出たり、また、踏切の手前で止まって列車の通過を待つことができる。
【００４３】
また、踏切を車両が通行中に、列車検知に基づき水ビーム放水装置１０による水ビーム１２の放水で踏切遮断が行われた場合、水ビーム１２が踏切遮断のための高さに放水されていても、車両の通過は何ら妨げられないことから、踏切遮断により踏切内に車両が閉じ込められ、遮断機バーを壊して脱出するといった問題は起きない。
【００４４】
また、踏切制御装置３２は、夜間の時間帯には、列車接近を検知した場合に、図１の踏切警報機１８の支柱に配置している照明装置３８を点灯し、水ビーム放水装置１０から放水される水ビーム１２を照明することで、水ビーム１２を目立たせることができる。
【００４５】
また、ノズル２０から放水する水ビーム１２に着色するようにしても良い。この場合には、加圧給水装置２８に混合器を設け、ポンプにより加圧供給する水に着色液を混合器により混合させてノズル２０から着色された水ビームを放水させる。
【００４６】
また、冬場の凍結防止のために加圧給水装置２８に混合器を設け、ポンプにより加圧供給する水に不凍液を混合器により所定割合で混合させてノズル２０から水ビーム１２を放水させるようにしても良い。
【００４７】
更に、降雪時には、踏切が開いている状態で、ノズル２０から数センチメートル程度の高さの水ビーム１２を放水し続けることで、踏切に降った雪の融雪除去を行うことができる。
【００４８】
（第１実施形態の変形例）
図３は水ビームを２列に放水する水ビーム放水装置を示した説明図であり、図３（Ａ）に平面を示し、図３（Ｂ）に横断面を示している。
【００４９】
図３に示すように、本実施形態にあっては、図１及び図２に示した第１実施形態で横一列に配置していたノズル２０を、ノズル２０ａとノズル２０ｂに分けて横２列に配置したことを特徴とし、給水配管３４をノズル配管３６ａとノズル配管３６ｂに分岐し、それぞれノズル２０ａ，２０ｂを個別に接続している。
【００５０】
このようなノズル２０ａ，２０ｂの横２列の配置により、ノズル２０ａ，２０ｂから水ビーム１２ａ，１２ｂが放水されると、横２列に連設されたアーチ状のパターンが高い密度で形成され、踏切遮断の度合いを高めることができる。
【００５１】
［踏切装置の第２実施形態］
図４は踏切装置の第２実施形態を示した説明図、図５は図４の水ビーム放水装置の構成を示した説明図である。
【００５２】
図４及び図５に示すように、本実施形態は、踏切装置に設けられた水ビーム放水装置１０として、踏切出入口の路面を横切る方向に形成された排水溝２２の両側にノズル２０を斜め上向きに向かい合うように配置し、ノズル２０から水ビーム１２を放物線を描くように放水することで、踏切遮断状態を形成している。それ以外の構成は図１及び図２に示した第１実施形態と同じになる。
【００５３】
本実施形態のノズル２０に対する加圧水の圧力としては、踏切の道路横幅に相当する水ビーム１２の放水距離が必要となることから、この放水距離に対応した圧力の加圧水をポンプ駆動により供給する。
【００５４】
本実施形態は、水ビーム１２の放水に使用するノズル２０の数が少なくて済み、設備構成が簡単になることから、踏切出入口の道路幅が比較的狭い踏切に好適である。
【００５５】
［踏切装置の第３実施形態］
図６は踏切装置の第３実施形態を示した説明図、図７は図６の水ビーム放水装置の構成を示した説明図である。
【００５６】
図６及び図７に示すように、本実施形態は、踏切装置に設けられた水ビーム放水装置１０として、踏切出入口の路面を横切る方向に形成された排水溝２２の片側に水ビーム放水装置１０を配置し、反対側に相対して集水装置４０を配置している。
【００５７】
水ビーム放水装置１０には高さ方向に例えば３台のノズル２０が配置され、ノズル２０は放水方向を踏切出入口を横切る水平方向に設定している。このためノズル２０からは水平方向に水ビーム１２が３本放水されて踏切遮断状態とする。
【００５８】
水ビーム放水装置１０から放水された水ビーム１２は反対側に起立された集水装置４０に受け取られ、排水溝２２に流れ落ち、排水管２６から排水されるか加圧給水装置の貯水槽に回収される。集水装置４０は水ビーム１２の受け側を広角に開いた形状としており、水ビーム１２が横方向に揺れても確実に集水可能としている。それ以外の構成は図１及び図２に示した第１実施形態と同じになる。
【００５９】
本実施形態のノズル２０に対する加圧水の圧力としては、踏切の道路幅に相当する水ビーム１２の放水距離が必要となることから、この放水距離に対応した圧力の加圧水をポンプ駆動により供給する。
【００６０】
本実施形態も、水ビーム１２の放水に使用するノズル２０の数が少なくて済み、設備構成が簡単になることから、踏切出入口の道路幅が比較的狭い踏切に好適である。
【００６１】
また、ノズル２０からの水ビーム１２の放水開始時や放水停止時には、水ビーム１２の先端が路面の横方向に移動するが、その位置には排水溝２２が形成されることから、水ビーム１２は排水溝２２に中に入り、周囲に飛散することはない。
【００６２】
［踏切装置の第４実施形態］
図８は踏切装置の第３実施形態を示した説明図、図９は図８の水ビーム放水装置の構成を示した説明図である。
【００６３】
図８及び図９に示すように、本実施形態は、踏切装置に設けられた水ビーム放水装置１０として、踏切出入口の路面を横切る方向に形成された排水溝２２の両側に、上側を水ビーム放水装置１０とし、下側を集水装置４０としたユニットを配置している。
【００６４】
上側の水ビーム放水装置１０にはノズル２０が配置され、ノズル２０は放水方向を僅かに斜め下向きに設定している。このため両側の水ビーム放水装置１０に設けられたノズル２０から斜め下向きに放水された水ビーム１２は、略中央付近で交差した後に下側に配置された集水装置４０に入る。
【００６５】
集水装置４０により受け取られた水ビーム１２の水は排水溝２２に流れ落ち、排水管２６から排水されるか加圧給水装置の貯水槽に回収される。集水装置４０は水ビーム１２の受け側を広角に開いた形状としており、水ビーム１２が横方向に揺れても確実に集水可能としている。
【００６６】
本実施形態のノズル２０に対する加圧水の圧力としては、踏切の道路横幅を斜め下向きに横切る水ビーム１２の放水距離が必要となることから、この放水距離に対応した圧力の加圧水をポンプ駆動により供給する。それ以外の構成は図１及び図２に示した第１実施形態と同じになる。
【００６７】
本実施形態は、両側のノズル２０から放水された水ビーム１２が中央付近で交差するため、水ビーム１２の本数が少なくても、水ビーム１２による踏切の遮断状態を確実に形成して認識させることができる。
【００６８】
［本発明の変形例］
（水ビーム）
上記の実施形態に示した水ビームの放水による踏切遮断は一例であり、これに限定されず、踏切遮断のための適宜のパターンを形成する水ビームの放水が含まれる。例えば上記の実施形態に加え、踏切左右に柱を設けて二つの柱をつなぐように形成された門形状の放水機構などを用いて上から水を降らすことにより水幕を形成するようにしても良い。
【００６９】
（水ビームの高さ）
上記の実施形態に示した水ビームの放水高さは、適宜変更しても良い。例えば高さを不均一とし、車両が通ると考えられる踏切中央部については放水高さを高くするように設定しても良い。
【００７０】
（水ビームの横並び放水ノズル）
上記の実施形態に示した水ビームの放水ノズルは、路面に溝部を設け溝部の凹部に配置されるようにしても良い。一般的な車両のタイヤがノズルに接触しない程度に、溝部の進行方向幅を狭く及び又は深さを深く設定する。これによりノズルが車両の進行により変形等する恐れを無くすことができる。
【００７１】
（断続放水）
上記の実施形態に示した水ビームの放水において、放水は途切れることなく連続的に行っても良いし、断続的に行っても良い。
【００７２】
（照明装置による表示）
上記の実施形態に示した照明装置は、水ビームが文字や図形を表示するように照射しても良い。
【００７３】
（踏切装置）
上記の実施形態は、列車が通過する線路を横切る鉄道の踏切装置を例にとるものであったが、本発明は鉄道の踏切装置に限定されず、適宜の踏切装置に適用することができる。
【００７４】
（その他）
また本発明は上記の実施形態に限定されず、その目的と利点を損なうことのない適宜の変形を含み、更に上記の実施形態に示した数値による限定は受けない。
【符号の説明】
【００７５】
１０：水ビーム放水装置
１２：水ビーム
１４：踏切道
１６：線路
１８：踏切警報機
２０：ノズル
２２：排水溝
２４：排水蓋
２６：排水管
２８：加圧給水装置
３０：制御弁
３２：踏切制御装置
３４：給水配管
３６ａ，３６ｂ：ノズル配管
３８：照明装置
４０：集水装置
【図１】
2019093939.tif 000003
【図２】
2019093939.tif 000004
【図３】
2019093939.tif 000005
【図４】
2019093939.tif 000006
【図５】
2019093939.tif 000007
【図６】
2019093939.tif 000008
【図７】
2019093939.tif 000009
【図８】
2019093939.tif 000010
【図９】
2019093939.tif 000011